(57)【要約】【課題】警備員等が携帯して懐中電灯のように使用し、同時に簡単に撮影を可能にする。【解決手段】携帯用ケース１１と照明装置１２と、照明装置１２のビームにより照らされた領域を撮影する撮像装置１４と、撮像装置１４で撮影した画像を記憶する記憶装置１５とを備え、照明装置１２は、可視光ビームを出力する可視光ランプ１６と赤外光ビームを出力する赤外光ランプ１８を含み、撮像装置１４は、可視光ビームにより照らされた領域ではカラー画像を取得し、赤外光ビームにより照らされた領域では白黒画像を取得する。【選択図】図１
0003133506.tif 000002
【実用新案登録請求の範囲】
【請求項１】
携帯用ケースと、
照明装置と、
前記照明装置のビームにより照らされた領域を撮影する撮像装置と、
前記撮像装置で撮影した画像を記憶する記憶装置とを備え、
前記照明装置は、可視光ビームを出力する可視光ランプと赤外光ビームを出力する赤外光ランプを含み、
前記撮像装置は、前記可視光ビームにより照らされた領域ではカラー画像を取得し、赤外光ビームにより照らされた領域では白黒画像を取得することを特徴とする照明付き撮影装置。
【請求項２】
請求項１に記載の照明付き撮影装置において、
前記ケースは防塵ケースであることを特徴とする照明付き撮影装置。
【請求項３】
請求項１に記載の照明付き撮影装置において、
前記ケースは防水ケースであることを特徴とする照明付き撮影装置。
【請求項４】
請求項１乃至３に記載の照明付き撮影装置において、
前記ケースには前記照明装置と前記撮像装置を個別にもしくは同時にオンオフするスイッチが設けられていることを特徴とする照明付き撮影装置。
【請求項５】
請求項１乃至４に記載の照明付き撮影装置において、
前記ケースには肩掛け用バンドが取り付けられていることを特徴とする照明付き撮影装置。
【請求項６】
請求項１乃至５に記載の照明付き撮影装置において、
撮像装置は録音装置を備えることを特徴とする照明付き撮影装置。
【請求項７】
請求項１乃至６に記載の照明付き撮影装置において、
撮像装置は、前記画像あるいは画像ファイル名に撮影時刻を含めるための時計を備えることを特徴とする照明付き撮影装置。
【請求項８】
請求項１乃至７に記載の照明付き撮影装置において、
記憶装置に記憶された画像を外部へ出力するためのデータ出力インタフェースを備えることを特徴とする照明付き撮影装置。
【請求項９】
請求項１乃至８に記載の照明付き撮影装置において、
照明装置は、中心に可視光ランプを配置し、その周囲に環状に複数の赤外光ランプを配置したことを特徴とする照明付き撮影装置。
【請求項１０】
請求項１乃至９に記載の照明付き撮影装置において、
照明装置の光出射口は弾性フードにより包囲され、前記ケースを任意の平面上に置いたとき、前記弾性フードの一部が前記ケースを支持し、前記光出射口は前記平面に触れないことを特徴とする照明付き撮影装置。
【請求項１１】
請求項１乃至９に記載の照明付き撮影装置において、
前記ケースの一端の光出射口は弾性フードにより包囲され、反対側の端に弾性スリーブが固定され、前記ケースを任意の平面上に置いたとき、前記弾性フードの一部と前記弾性スリーブの一部が前記ケースを支持し、前記ケースは前記平面に触れないことを特徴とする照明付き撮影装置。
【請求項１２】
請求項１乃至１１に記載の照明付き撮影装置において、
撮影部が独立した保護ケースに収納され、着脱装置を備えていることを特徴とする照明付き撮影装置。
【考案の詳細な説明】
【技術分野】
【０００１】
本考案は、対象物を照明しながらその対象物を撮影する様々な用途に使用される照明付き撮影装置に関する。
【背景技術】
【０００２】
例えば、警備員や警察官が防犯のために巡回をするときには、必ず懐中電灯を携帯する。もし怪しい人物を発見したときには、その人物を照らして追う。また、例えば、巡回中に何か不審な物を発見したときには懐中電灯で照らして確認をする。さらに、後で分析をするために写真撮影をしておくこともある。そのとき、懐中電灯を持っていると片手が塞がっていて不自由である。そこで、ヘルメットにランプを取り付けたり、肩掛けにランプを取り付けるような装備が利用されている（特許文献１参照）。
【特許文献１】特開平1０−８５３５０号公報
【考案の開示】
【考案が解決しようとする課題】
【０００３】
既知の従来の技術には、次のような解決すべき課題があった。
例えば、不審な人物を見つけたときに、その証拠写真を撮影しておくことが好ましい。写真機にはフラッシュ等の照明装置が付いているから懐中電灯は撮影時は不要である。一方、周囲が暗いと写真をどの方向に向けて良いか分からない。従って、暗闇で不審な人物を撮影する場合には、赤外光による広角の白黒写真が利用されている。しかしながら、撮像装置の機能も向上していることから、撮影対象を鮮明なカラー画像で撮影したい。同時に、十分防犯上効果的な写真撮影機能を持つ装置が望まれる。
上記の課題を解決するために、本考案は、警備員等が携帯して懐中電灯のように使用し、同時に簡単に撮影を可能にする照明付き撮影装置を提供することを目的とする。
【課題を解決するための手段】
【０００４】
以下の構成はそれぞれ上記の課題を解決するための手段である。
〈構成１〉
携帯用ケースと、照明装置と、上記照明装置のビームにより照らされた領域を撮影する撮像装置と、上記撮像装置で撮影した画像を記憶する記憶装置とを備え、上記照明装置は、可視光ビームを出力する可視光ランプと赤外光ビームを出力する赤外光ランプを含み、上記撮像装置は、上記可視光ビームにより照らされた領域ではカラー画像を取得し、赤外光ビームにより照らされた領域では白黒画像を取得することを特徴とする照明付き撮影装置。
【０００５】
この照明付き撮影装置は、防犯や警備の際に携帯する懐中電灯として使用できる。あるいは、棒状の丈夫な携帯用ケースに収納して、警察官の警棒として使用できる。さらに、より長い棒や細い棒の先に取り付けて、直視し難い場所の調査、検査、探索用等に使用できる。防犯や警備に使用すると、確実に証拠写真を撮影することができる。なお、撮影した画像を記憶した記憶装置は、携帯用ケースに一体に組み込まれていてもよいし、着脱可能に装着されたものでもよい。撮影画像データを外部に取り出して別の装置で利用できる。
【０００６】
〈構成２〉
構成１に記載の照明付き撮影装置において、上記ケースは防塵ケースであることを特徴とする照明付き撮影装置。
【０００７】
防塵ケースにすることで故障を防止できる。防塵の程度は使用環境に応じて調整するとよい。
【０００８】
〈構成３〉
構成１に記載の照明付き撮影装置において、上記ケースは防水ケースであることを特徴とする照明付き撮影装置。
【０００９】
防水ケースにすれば、雨に濡れるような屋外等でも使用できる。防水の程度も、生活防水から、水中における使用を可能にする防水まで各種ある。その用途に応じて調整するとよい。
【００１０】
〈構成４〉
構成１乃至３に記載の照明付き撮影装置において、上記ケースには上記照明装置と上記撮像装置を個別にもしくは同時にオンオフするスイッチが設けられていることを特徴とする照明付き撮影装置。
【００１１】
懐中電灯として対象物を照射し、同時にあるいは必要に応じて対象物を撮影することができる。
【００１２】
〈構成５〉
構成１乃至４に記載の照明付き撮影装置において、上記ケースには肩掛け用バンドが取り付けられていることを特徴とする照明付き撮影装置。
【００１３】
ハンズフリーで対象物の照明や撮影ができる。
【００１４】
〈構成６〉
構成１乃至５に記載の照明付き撮影装置において、撮像装置は録音装置を備えることを特徴とする照明付き撮影装置。
【００１５】
画像の撮影だけでなく録音もできると、防犯用等にさらに有効に利用できる。
【００１６】
〈構成７〉
構成１乃至６に記載の照明付き撮影装置において、撮像装置は、上記画像あるいは画像ファイル名に撮影時刻を含めるための時計を備えることを特徴とする照明付き撮影装置。
【００１７】
画像の撮影とともにその撮影時刻を記録することができ、防犯用等にさらに有効に利用できる。
【００１８】
〈構成８〉
構成１乃至７に記載の照明付き撮影装置において、記憶装置に記憶された画像を外部へ出力するためのデータ出力インタフェースを備えることを特徴とする照明付き撮影装置。
【００１９】
データ出力インタフェースは、例えば、ＵＳＢインタフェースや無線ＬＡＮインタフェースである。画像データを取り出してコンピュータ等で処理することができる。
【００２０】
〈構成９〉
構成１乃至８に記載の照明付き撮影装置において、照明装置は、中心に可視光ランプを配置し、その周囲に環状に複数の赤外光ランプを配置したことを特徴とする照明付き撮影装置。
【００２１】
中心部分を可視光ビームで照射し、周辺部分を赤外光ビームで照射することができるから、中心部分の対象をカラー撮影することができる。
【００２２】
〈構成１０〉
構成１乃至９に記載の照明付き撮影装置において、照明装置の光出射口は弾性フードにより包囲され、上記ケースを任意の平面上に置いたとき、上記弾性フードの一部が上記ケースを支持し、上記光出射口は上記平面に触れないことを特徴とする照明付き撮影装置。
【００２３】
テーブルや床等に置いたとき、光出射口のレンズ等に傷を付けない。
【００２４】
〈構成１１〉
構成１乃至９に記載の照明付き撮影装置において、上記ケースの一端の光出射口は弾性フードにより包囲され、反対側の端に弾性スリーブが固定され、上記ケースを任意の平面上に置いたとき、上記弾性フードの一部と上記弾性スリーブの一部が上記ケースを支持し、上記ケースは上記平面に触れないことを特徴とする照明付き撮影装置。
【００２５】
テーブルや床等に置いたとき、ケースを傷付けず、クッション効果がある。
〈構成１２〉
構成１乃至１１に記載の照明付き撮影装置において、撮影部が独立した保護ケースに収納され、着脱装置を備えていることを特徴とする照明付き撮影装置。
【００２６】
撮影部が独立した保護ケースに収納されていると、着脱装置を外して別の懐中電灯に装着して使用することが可能になる。
【考案を実施するための最良の形態】
【００２７】
以下、本考案の実施の形態を実施例毎に詳細に説明する。
【実施例１】
【００２８】
図１は実施例１の照明付き撮影装置を示し、（ａ）は全体の側面図、（ｂ）は照明装置側から見た正面図、（ｃ）は主要部断面図である。
図の（ａ）に示すように、照明付き撮影装置１０は携帯用ケース１１に収容されている。両端には保護用の弾性フード２２と弾性スリーブ２４とが設けられ、中央付近には操作用のスイッチ盤２０が設けられている。図の（ｂ）に示すように、照明付き撮影装置１０の正面の部分には、照明装置１２と撮像装置１４とが配置されている。照明装置１２は、可視光ビームを出力する可視光ランプ１６と赤外光ビームを出力する赤外光ランプ１８を含む。図の（ｃ）に示すように、可視光ランプ１６はコーン状の反射鏡１７の中央部に配置され、赤外光ランプ１８は、その周囲に多数配置されている。撮像装置１４で撮影した画像は記憶装置１５に記憶される。
【００２９】
図２は、照明付き撮影装置の内部回路ブロック図である。
図のように、撮像装置１４はスロット４０を介して記憶装置１５に接続されている。記憶装置１５は着脱が可能で、撮像装置１４で撮影した画像を別のコンピュータ等に取り込むことができる。また、撮像装置１４には入出力インタフェース４２が接続されていて、外部のコンピュータ等と直接接続され、画像等を転送できる。入出力インタフェース４２は例えば、ＵＳＢインタフェースである。なお、時計４４は撮像装置１４が撮影した画像や画像ファイル名に、撮影時刻を含めるためのものである。
【００３０】
撮影時刻を含める方法は、ディジタルカメラ等に広く採用されている方法で、証拠写真の撮影時刻の記録に役立つ。従って、防犯用等に有効に利用できる。マイク４６は撮影現場の音を拾い、録音装置４８により録音する。画像の撮影だけでなく録音もできるので、防犯用等にさらに有効に利用できる。撮像装置１４、時計４４、録音装置４８は、バッテリ３５により駆動される。撮影スイッチ５２はこれらを同時にオンオフ制御する。可視光ランプ１６と赤外光ランプ１８もバッテリ３５から電力を供給される。照明スイッチ５０は可視光ランプ１６と赤外光ランプ１８とを同時にオンオフ制御する。照明スイッチ５０と撮影スイッチ５２とは図１のスイッチ盤２０に組み込まれている。
【００３１】
図３は、照明装置のビームの説明図である。
図の（ａ）は照明装置のビームを側面から見た図で、（ｂ）は、例えば、照明付き撮影装置１０で不審者を照らした状態を示す。可視光ランプ１６は可視光ビーム２６を発射する。赤外光ランプ１８はその外周を取り巻くように赤外光ビーム２８を発射する。中心部分を可視光ビーム２６で照射し、周辺部分を赤外光ビーム２８で照射する。不審者は可視光ビーム２６により照射され、その周囲に配置されたデスクや金庫等は赤外光ビーム２８により照射される。撮像装置１４（図３）は、可視光ビーム２６により照らされた領域ではカラー画像を取得し、赤外光ビーム２８により照らされた領域では白黒画像を取得する。従って、不審者を照らすとともに、鮮明なカラー画像で撮影することか可能になる。しかも、その周囲も十分に広く撮影できる。また、照射領域は狭いので、大電力を消費することがない。
【００３２】
なお、上記の携帯用ケース１１（図１）は、防塵ケースあるいは防水ケースで構成することが好ましい。これで、屋内屋外を問わず使用でき、警備や探索等に最適な構造になる。また、上記のスイッチ盤２０（図１）は、照明スイッチ５０と撮影スイッチ５２（図２）を備え、照明装置１２と撮像装置１４を個別にオンオフした。撮像装置１４は必要なときのみ駆動すればよいからである。しかし、警備や探索結果を全て記録しておくのであれば、照明装置１２と撮像装置１４を同時にオンオフするスイッチを設けるとよい。
【実施例２】
【００３３】
図４は、照明付き撮影装置のさらに具体的な説明図で、（ａ）は側面図、（ｂ）はその一部縦断面図である。
この照明付き撮影装置には、肩掛け用バンド５４が設けられている。これで、ハンズフリーで対象物の照明や撮影ができる。また、持ち運びも容易である。さらに、携帯用ケース１１の両端に設けた弾性フード２２と弾性スリーブ２４とは、いずれもゴム等の弾性体により構成した。図の（ｂ）に示すように、照明装置の光出射口３６は弾性フード２２により包囲されている。従って、図のように、照明付き撮影装置１０を光出射口３６を下にして任意の平面上に置いたとき、弾性フード２２の一部がケースを支持し、光出射口３６は平面に触れない。従って、光出射口３６のレンズ等に傷を付けない。
【００３４】
また、携帯用ケース１１の両端に弾性フード２２と弾性スリーブ２４とが固定されている。この状態で、照明付き撮影装置１０を任意の平面上に置いたとき、図の（ａ）に示すように、弾性フード２２の一部と弾性スリーブ２４の一部が照明付き撮影装置１０を支持し、携帯用ケース１１は平面に触れない。従って、携帯用ケース１１を傷付けず、クッション効果がある。
【実施例３】
【００３５】
図５は、照明付き撮影装置の変形例で、（ａ）は警棒、（ｂ）は探索装置の側面図である。
図の（ａ）に示すように、警察官の防犯や警備の際に携帯する懐中電灯として、警棒構造のものにすることができる。頭部６１に、上記の照明装置や撮像装置等を収納する。携帯用ケース６は、例えば、ジュラルミン等のパイプで、握り６２とともに、警棒６０を構成する。尾部６３は保護用のクッション材である。握り６２の部分に、スイッチ６４を取り付けて、照明装置や撮像装置のオンオフ制御をする。防犯や警備に使用すると、確実に証拠写真を撮影することができる。
【００３６】
図の（ｂ）の探索装置７０は、頭部６１に、上記の照明装置や撮像装置等を収納する。頭部６１はフレキシブルパイプ７２を介して本体部７３に連結されている。本体部７３に、スイッチ７４を取り付けて、照明装置や撮像装置のオンオフ制御をする。バッテリも本体部７３に収容するとよい。このように、長い棒や細い棒の先に照明装置や撮像装置等を取り付けて、直視し難い場所の調査、検査、探索用等に広く利用できる。
【００３７】
以上の照明付き撮影装置によれば、高感度な撮像装置を使用すると、懐中電灯程度の明るさでも鮮明なカラー写真の撮影ができる。しかも、懐中電灯で対象物を照射しながら撮影をするので、対象物を的確に捕らえることができ、撮影ミスが防止できる。また、主要部分はカラー撮影する一方、その周囲を赤外線で撮影するので、周囲の状況を把握し易い。この画像は白黒画像であっても、主要部でないので、大きな支障がない。全体を可視光で強力に照射するよりも十分に電力を節減できる。
【００３８】
なお、上記の照明付き撮影装置において、録音装置はあってもなくてもよい。また、撮像装置は、動画や静止画を撮影できるとよい。記憶装置はカードなどで着脱できるものやハードディスクでもよい。入出力インタフェースはケーブルでもよいし電波を使って通信する構成でもよい。上記の装置はドライブレコーダとしても使用できる。目の届きにくい場所の調査や探索としては、例えば、下水管とか天井裏といった部分の探索に利用できる。ビデオカメラよりも充分高い解像度にできるので、例えば、下水管の細かいひび割れや傷などの撮影に適する。また、防犯や警備などのためにブザーが付いているとよい。バッテリには充電式の電池や乾電池などを使用するとよい。
【実施例４】
【００３９】
図６は、実施例４の照明付き撮影装置の説明図である。
図の（ａ）に示すように、この実施例の装置は、撮影部が独立した保護ケース８０に収納されている。この保護ケース８０の上面には、スイッチ８２が取り付けられている。また、側面には、レンズ部８３が照明方向に向くように取り付けられている。保護ケース８０には、例えば、バンド８４のような着脱装置が取り付けられている。保護ケース８０と携帯用ケース１１とはこのバンド８４により結束一体化されている。図の（ｂ）はレンズ部８３側から見た図で、図の（ｃ）は内部回路のブロック図である。保護ケース８０の内部には、上記の実施例で説明した撮影機能一式がバッテリ３５とともに内蔵されている。上記の実施例と同一符号を付した部分の機能とはかわらないので、重複する説明は省略する。こうした構成により、撮影部を取り外して、バンド８４を用いて別の懐中電灯に装着して使用することが可能になる。着脱装置には、バンド以外にボルト締め、マグネット、その他任意の構成を採用して構わない。
【図面の簡単な説明】
【００４０】
【図１】実施例１の照明付き撮影装置を示し、（ａ）は全体の側面図、（ｂ）は照明装置側から見た正面図、（ｃ）は主要部断面図である。
【図２】照明付き撮影装置の内部回路ブロック図である。
【図３】照明装置のビームの説明図である。
【図４】照明付き撮影装置のさらに具体的な説明図で、（ａ）は側面図、（ｂ）はその一部縦断面図である。
【図５】照明付き撮影装置の変形例で、（ａ）は警棒、（ｂ）は探索装置の側面図である。
【図６】実施例４の照明付き撮影装置の説明図で、（ａ）は全体の側面図、（ｂ）は照明装置側から見た正面図、（ｃ）は内部回路ブロック図である。
【符号の説明】
【００４１】
１０  照明付き撮影装置
１１  携帯用ケース
１２  照明装置
１４  撮像装置
１５  記憶装置
１６  可視光ランプ
１８  赤外光ランプ
２０  スイッチ盤
２２  弾性フード
２４  弾性スリーブ
２６  可視光ビーム
２８  赤外光ビーム
３０  可視光ビームにより照らされた領域
３２  赤外光ビームにより照らされた領域
３５  バッテリ
３６  光出射口
４０  スロット
４１  記憶装置
４２  入出力インタフェース
４４  時計
４８  録音装置
５０  照明スイッチ
５２  撮影スイッチ
【図１】
0003133506.tif 000003
【図２】
0003133506.tif 000004
【図３】
0003133506.tif 000005
【図４】
0003133506.tif 000006
【図５】
0003133506.tif 000007
【図６】
0003133506.tif 000008